(57)【要約】【課題】  一時的な脱毛でなく、肌を痛める危険性がなく、より有効な脱毛装置を提供する。【解決手段】  体毛の脱毛を行うための方法であって、剃毛された肌に脱毛溶液を塗布する段階と、剃毛された肌に脱毛溶液を塗布し、プラスイオン風を照射することで発毛を抑制する脱毛方法に使用される装置であって、プラスイオン発生させるプラスイオン発生回路と、プラスイオン発生回路に対して、エアーを送ることでプラスイオン風を発生させる送風装置と、プラスイオン風を、脱毛溶液が塗布された肌に対して照射するための第１のプローブとを有することとした。【選択図】  図１
2007037968.tif 000002
【特許請求の範囲】
【請求項１】
剃毛された肌に脱毛溶液を塗布し、プラスイオン風を照射することで発毛を抑制する脱毛方法に使用される装置であって、
プラスイオン発生させるプラスイオン発生回路と、
上記プラスイオン発生回路に対して、エアーを送ることでプラスイオン風を発生させる送風装置と、
上記プラスイオン風を、上記脱毛溶液が塗布された肌に対して照射するための第１のプローブと、
を有することを特徴とする脱毛装置。
【請求項２】
上記第１のプローブによりプラスイオン風を照射する前又はプラスイオン風を照射すると同時に、上記脱毛溶液が塗布された肌に対してマイナスイオン風を照射する脱毛方法に使用される装置であって、
マイナスイオンを発生させるマイナスイン発生回路をさらに有し、
上記送風装置は、マイナスイオン発生回路に対して、エアーを送ることでマイナスイオン風を発生させ
発生されたマイナスイオン風を上記脱毛溶液が塗布された肌に対して照射する第２のプローブをさらに有する、
請求項１記載の脱毛装置。
【請求項３】
上記プラスイオン風を照射する前に、上記脱毛溶液が塗布された肌に対して、オゾンを照射する脱毛方法に使用される脱毛装置であって、
オゾンを発生させるオゾン発生回路をさらに有し、
上記送風装置は、オゾン発生回路にエアーを送ることでオゾン風を発生させ、
上記第１のプローブは、上記発生されたオゾン風を肌に照射する、
請求項1又は２のいずれかの項に記載の脱毛方法。
【請求項４】
上記第１のプローブと、上記第２のプローブとを結合させて、上記第１のプローブ及び第２のプローブからのエアーを混合して上記肌に照射する結合プローブをさらに有する、
請求項２又は３記載の脱毛装置。
【請求項５】
上記脱毛溶液には、感光材料が含まれており、
上記プローブの先端には、発光素子が取り付けられており、
上記プラスイオン風又はマイナスイオン風を照射する際に、上記発光素子により肌に対して光を照射する、
請求項１〜４のいずれかの項に記載の脱毛装置。
【発明の詳細な説明】
【技術分野】
【０００１】
本発明は、体毛の脱毛を行う脱毛装置に関する。
【背景技術】
【０００２】
一般的な脱毛方法としては、ピンセットで毛を一本ずつ抜いたり、カミソリで毛を剃ったり、除毛クリームで毛を溶かしたり、脱毛テープで毛を剥がし取るなどの方法が知られている。
【０００３】
ところがこれらの脱毛方法は、いずれも痛みを感じたり、肌がヒリヒリするなどの苦痛を伴い、また、一時的な脱毛にすぎないのですぐにまた毛が生えてくるなどの欠点がある。
【０００４】
また永久脱毛としては、レーザを用いて、毛根細胞を焼く方法などが知られている。この脱毛法によれば、レーザをスポット的に毛根に照射することで、そのエネルギーを利用して毛根の細胞を焼いて、毛が再生しないようにしている。
また別の方法として、毛包細胞に電流を流して破壊することで、細胞を不活性化して、脱毛する技術がある。この一例として、毛髪を機械的又は化学的に除去して毛包を露出させ、光増感剤を塗布して電流を流すことなどにより毛包を破壊する。この従来技術では、毛包に毛包不活性化合物を導入する。これは、除毛後、空になった毛包に対して、電流を流すことで毛包を破壊して脱毛を行う方法である（例えば、特許文献１参照）。
【０００５】
また、最近では、温熱脱毛方法として、むだ毛を取り除き、むだ毛を取り除いた箇所に脱毛ジェルを塗布して、脱毛ジェルを塗布した箇所にフィルムを被覆して、そのフィルムを被覆した箇所に温熱パッドを当てて温熱する脱毛方法も提案されている。（例えば、特許文献２）。
【０００６】
【特許文献１】特表平１０−５０６５５４
【特許文献２】特許第３３４００８０号公報
【発明の開示】
【発明が解決しようとする課題】
【０００７】
しかし、従来のレーザや熱などを用いた脱毛装置は、レーザや熱を利用するため、肌を傷める危険性があり、安全性に問題があった。例えば、レーザの出力を誤って用いると、火傷の原因となったり、レーザにより肌がくすんだり、黒ずんだりしてしまうという問題があった。そのため、レーザ脱毛装置などの使用方法は厳格にその手順を守った上で、慎重にやらないと大きな事故につながってしまうという問題があった。
【０００８】
本発明は、上記課題を解決するためになされたものであって、一時的な脱毛でなく、肌を痛める危険性がなく、より有効な脱毛ができる脱毛装置を提供することを目的とする。
【課題を解決するための手段】
【０００９】
上記目的を達成するため、本発明の脱毛装置は、剃毛された肌に脱毛溶液を塗布し、プラスイオン風を照射することで発毛を抑制する脱毛方法に使用される装置であって、プラスイオン発生させるプラスイオン発生回路と、上記プラスイオン発生回路に対して、エアーを送ることでプラスイオン風を発生させる送風装置と、上記プラスイオン風を、上記脱毛溶液が塗布された肌に対して照射するための第１のプローブとを有することを特徴とする。
【００１０】
上記第１のプローブによりプラスイオン風を照射する前又はプラスイオン風を照射すると同時に、上記脱毛溶液が塗布された肌に対してマイナスイオン風を照射する脱毛方法に使用される装置であって、マイナスイオンを発生させるマイナスイン発生回路をさらに有し、上記送風装置は、マイナスイオン発生回路に対して、エアーを送ることでマイナスイオン風を発生させ、発生したマイナスイオン風を上記脱毛溶液が塗布された肌に対して照射する第２のプローブをさらに有するようにしてもよい。
【００１１】
上記プラスイオン風を照射する前に、上記脱毛溶液が塗布された肌に対して、オゾンを照射する脱毛方法に使用される脱毛装置であって、オゾンを発生させるオゾン発生回路をさらに有し、上記送風装置は、オゾン発生回路にエアーを送ることでオゾン風を発生させ、上記第１のプローブは、上記発生されたオゾン風を肌に照射するようにしてもよい。
【００１２】
また、上記第１のプローブと、上記第２のプローブとを結合させて、上記第１のプローブ及び第２のプローブからのエアーを混合して上記肌に照射する結合プローブをさらに有してもよい。
【００１３】
また、上記脱毛溶液には、感光材料が含まれており、上記プローブの先端には、発光素子が取り付けられており、上記プラスイオン風又はマイナスイオン風を照射する際に、上記発光素子により肌に対して光を照射するようにしてもよい。
【発明の効果】
【００１４】
本発明によれば、肌を熱することがない非熱式の脱装置であるため、肌に火傷や傷を残すことがなく、施術を受ける者に痛みなどの苦痛を与えることがない。
また、肌に脱毛剤を塗布して、プラスイオン風を照射するだけでよいから、特別な技術や技能を持っていない人でも、簡単に脱毛の施術を行うことができる。
【発明を実施するための最良の形態】
【００１５】
以下、本発明にかかる脱毛装置について説明する。
図１は、本実施形態に係る脱毛装置１０の概観を示した正面図であり、図２は装置の内部構成を概念的に示した図である。
図１、図２において、脱毛装置本体１０は、電源スイッチＳと、マイナスイオン風を噴射する第１プローブ１と、噴射ノズル１１と、マイナスイオン噴射スタートボタン１２と、マイナスイオン噴射時間設定タイマー１３と、マイナスイオン噴射時間設定タイマー作動表示ランプ１４と、マイナスイオン噴射エアー調整ツマミ１５と、ＤＣファン１６、高圧電源１７と、オゾン噴射とプラスイオン風噴射とを切り替える切替スイッチ１９、エアー吸引口２０と、プラスイオン風及びオゾンを噴射する第２プローブ３と、噴射ノズル３１と、噴射スタートボタン３２と、噴射時間設定タイマー３３と、噴射時間設定タイマー作動表示ランプ３４と、噴射エアー調整ツマミ３５と、調整ツマミ３６、オゾン発生装置１００、プラスイオン発生装置２００、マイナスイオン発生装置３００とを有している。
【００１６】
電源スイッチＳは、脱毛装置本体１０の主電源スイッチであり、この電源スイッチＳをオンすると外部交流電源と電気的に接続され、各部へ通電できる状態となる。
【００１７】
第１プローブ１は、マイナスイオン風を噴射する噴射口である。また第２プローブ３は、オゾン又はプラスイオン風を噴射する噴射口である。
各プローブには、このプローブ１に対してエアーを送り込むためのシリコン製のノズルが接続されている。
【００１８】
マイナスイオン噴射スタートボタン１２は、高圧電源１７及びマイナスイオン発生装置１００への通電を制御することで、プローブ１からマイナスイオンを噴射、停止の操作を行うためのボタンである。
マイナスイオン噴射時間設定タイマー１３は、マイナスイオンを噴射させる時間を設定するためのタイマーである。このマイナスイオン噴射時間設定タイマー１３は、設定された時間だけ高圧電源１７及びマイナスイオン電磁弁１８への通電をおこない、設定時間になるとこれらへの通電を遮断することで、マイナスイオンの噴射を停止するようになっている。
【００１９】
マイナスイオン噴射時間設定タイマー作動表示ランプ１４は、ＬＥＤにより構成され、動作ボタン１２がオンされて噴射状態となると通電されて緑色に点灯し、動作ボタン１２がオフ又はタイマーの設定時間になると通電が遮断されて消灯するようになっている。
マイナスイオン調整ツマミ１５は、噴射されるマイナスイオンの量を調整するためのツマミである。このマイナスイオン調整ツマミ１５は、スライダックを構成し、交流電源から高圧電源１７へ供給される電圧を調整することで、噴射されるマイナスイオンの量を調整することができるようになっている。
【００２０】
高圧電源１７は、オゾン発生装置１００、プラスイオン発生装置２００、マイナスイオン発生装置３００に対して高電圧を供給する電源である。本例では、この高圧電源１７により、最大６．２Ｋｖの電圧を供給することができるようになっている。
【００２１】
エアー吸引口２０は、噴射するエアーの吸引口である。このエアー吸引口２０には、気体分離膜８が取り付けられている。この気体分離膜８としては、たとえば松下電器社製の酸素富化膜８（ＰａｎａＯ２）を用いることができ、これにより吸引されるエアーのゴミや塵などを分離できるだけでなく、エアー中の窒素を約１０％程度少なくすることができる。これにより、マイナスイオンを生成する際に窒素酸化物が生成されることを抑えることができる。
【００２２】
切り替えスイッチ１９は、プラスイオン発生装置２００とオゾン発生装置３００への通電、及び図示しない電磁弁への通電を制御することで、プラスイオン又はマイナスイオンのいずれかの発生に切り替えるスイッチである。
噴射スタートボタン３２は、高圧電源１７及び図示しない電磁弁への通電を制御することにより、オゾン又はプラスイオン風の噴射を開始させるためのボタンである。
噴射時間設定タイマー３３は、オゾン又はプラスイオン風の噴射している時間を設定するタイマーであり、設定された時間になると装置への通電を遮断してオゾン又はプラスイオンの噴射を停止できるようになっている。
【００２３】
噴射時間設定タイマー作動表示ランプ３４は、ＬＥＤにより構成され、噴射時間設定タイマー３３がオンとなることにより、通電され緑色に点灯し、設定された時間になると通電が遮断され消灯するように構成されている。
噴射エアー調整ツマミ３５は、オゾン又はプラスイオン風を噴射する際のエアーの量を調整するためのものである。この噴射エアー調整ツマミ３５は、スライダックにより構成され、図示しない電磁弁への供給する電圧を制御することで、時計方向にツマミを回すと勢いが弱まって噴射される風量も少なくなり、ツマミをいっぱいに回すと、噴射は止まるようになっている。
【００２４】
調整ツマミ３６は、オゾン又はプラスイオンの発生量を調整するためのものである。この調整ツマミ３６はスライダックを構成し、オゾン発生装置又はプラスイオン発生装置へ通電する電圧を調整することでオゾンの濃度又はプラスイオンの電荷量を調整することができる。
【００２５】
オゾン発生装置としては、例えば、石英ランプ通電方式の装置などの既存のオゾン発生装置を用いることができる。
【００２６】
プラスイオン発生装置２００としては、既存のプラスイオン発生装置を用いることができる。
例えば、図４に示すように、セラミックやマイカ等からなる誘電体９０１の一面に放電電極９０２を配置すると共に、他面に誘導電極９０３を配置し、それら放電電極９０２と誘導電極９０３との間に交流電圧９０６と直流バイアス電圧９０５とを印加して放電（プラズマ）させることによって、周囲の空気をイオン化する装置である。
これにより、放電電極９０２にプラスの直流バイアス電圧を印加することで、マイナスイオンを放電電極９０２に吸収させ、プラスイオンだけを取り出すことができ、電磁弁を操作する事により、プローブ１又はプローブ２から噴射できるようにしている。
【００２７】
また、マイナスイオン発生装置３００としても、レナード式、電子放射式、コロナ放電方式、単極放電方式などの既存のマイナスイオン発生装置を用いることができる。
一例を図３に示す。圧電セラミック３０５と、針状放電電極３０６と、駆動回路（図示せず）と、電源・外部入出力端子３０７とから構成されている。
【００２８】
マイナスイオン発生器３の回路図としては、発振回路３０８が出力する信号は、圧電トランス３０５の共振周波数（長さ方向の寸法で決まる）例えば７５ＫＨｚの近傍（±５ＫＨｚ）とし、この信号を電界効果型トランジスタからなるトランス駆動回路３０９に入力して圧電トランス３０５を駆動するための交流電圧を出力させる。
【００２９】
圧電トランス３０５は、高効率のトランスであり、その構造の一例としては、薄い長方板体形状の圧電セラミックスにおける長さ方向の半分の対向面に入力電極を形成し、この入力電極の反対側の端面に出力電極を形成した形状からなる。この入力電極にトランス駆動回路３０９からの共振周波数近傍の交流電圧が印加されると、圧電逆効果により圧電体全体が機械的に振動し、そしてこの機械的振動が圧電効果により出力電極にさらに高電圧となって出力されるものである。
【００３０】
そして、圧電トランス３０５の出力電極からの高電圧出力は、整流回路３１０が整流して−１．０〜−６．０ＫＶの範囲の負極性高電圧とする。この負極性高電圧が、針状放電電極６に印加されその先端から電子放射することでマイナスイオンを発生させるものであり、その発生量を１０００〜２００００００個／ｃｃの範囲内で自在に設定することができる。
【００３１】
このマイナスイオンの発生量を制御するのが、発振周波数調整部３１１であり、具体的には発振回路３０８の発振周波数調整用の端子に設けられた可変抵抗器（例えば１０５ＫΩ±５ＫΩ）である。この抵抗値を変化させることで、発振回路３０８のタイマーＩＣが出力する信号の周波数は７５ＫＨｚ±５ＫＨｚの範囲で変化する。そして、圧電トランス５を駆動する交流電圧を７５ＫＨｚ±５ＫＨｚの範囲で変化させることで、圧電トランス３０５からの高電圧出力をその共振周波数からの変位に応じて大きく変化させ、これによりマイナスイオンの発生量を１０００〜２００００００個／ｃｃと大きく変化させることができるようになっている。
【００３２】
次に、上述の装置を用いた脱毛方法について説明する。
まず、剃刀などにより脱毛を行う部分の毛を剃毛する。
次に、脱毛を行う肌の部分（例えば、脇の下、脛、腕など）に脱毛溶液を塗布する。
ここで、脱毛溶液は、少なくともイソフラボンを主成分としたダイズエキス、パパイン、プラスイオン原料としてのステアロキシプロピルトリモニウムクロリド、感光素としてのクオタニウム−７３が含まれている。その他、水、グリセリン、ＢＧ、ソルビトール、エタノール、アマチャエキス、クインスシードエキス、水酸化レシチン、カルポマー、シソエキス、グリチルリチン酸２Ｋ、アラントイン、水酸化Ｋ、セタノール、ステアリルアルコール、ＰＣＡ−Ｎａ、メチルパラペンなどを含んだ溶液である。
この脱毛溶液を塗布することにより、脱毛用溶液に含まれるタンパク質分解酵素であるパパインが、毛細胞、毛根細胞を分解する。また、脱毛用溶液のイソフラボンが、女性ホルモンであるエストラゲン様の働きを行う。これらにより、体毛の毛包細胞に作用して発毛を抑制する働きをする。
【００３３】
次に、装置の電源スイッチＳを押して電源を投入する。これにより内部に設けられたポンプが作動する。
そして、オゾン噴射時間設定タイマー３３のダイヤルを回すことにより、オゾン噴射時間を設定し、オゾン照射装置１００の第２プローブ３の先端を肌に当て、オゾン噴射スタートボタン３２を押し、脱毛を行いたい肌に第２プローブ３を持っていきオゾンを噴射する。
これによりオゾンの殺菌効果により肌の表面の汚れや雑菌を除去する。またオゾンはプラスに帯電していることから、オゾンを毛包細胞に噴射することで、毛包細胞がプラスに帯電して酸化する。これによっても細胞が酸化されることで、細胞内のイオンバランスが崩れて活動が低下し、発毛が抑制される。
【００３４】
次に、マイナスイオン噴射時間設定タイマー１３のダイヤルを回すことにより、マイナスイオン噴射時間を設定する。第１プローブの先端を肌に当て、マイナスイオン噴射スタートボタン１２を押す。これによりマイナスイオン装置に通電されて作動し、設定時間だけ通電されて動作する。
これにより、脱毛を行いたい肌にマイナスイオンプローブ１からマイナスイオンを噴射する。このマイナスイオンの噴射により、脱毛を行いたい部分の肌を活性化して、その部分の毛穴が開く。つまり、マイナスイオを噴射することにより、細胞膜のＡＴＰアーゼが活性して、細胞膜のＡＴＰ合成機能が高まり、細胞膜のイオン透過性が高まることで、細胞内に残っている余分なナトリウムイオンとカルシュウムイオンが血液中に移動し、細胞内のイオンバランスが整えられ細胞が活性化する。これにより脱毛溶液などの吸収が促進され、肌に塗布した脱毛溶液等の吸収が促進される。
この際、脱毛溶液を浸した綿などの含浸部材をチューブ先端の空隙に取り付けておくことができる。  この際、マイナスイオン噴射エアー調整ツマミ１５を操作することで、図示しない電磁弁が開閉操作され、第１プローブ１から噴出す空気量を調整することができる。
【００３５】
最後に、図示しない電磁弁を切り替えて、第２プローブ３からプラスイオンを噴射させてプラスイオン風を、脱毛を行いたい肌に噴射する。
これにより、プラスイオンが毛母細胞、毛包細胞に注入され、このプラスイオンの注入による毛根細胞、毛包細胞がプラス電荷に帯電して酸化する。細胞が酸化することで、細胞内のイオンバランスが崩れて活動が低下し（不活性化）、発毛が抑制される。
【００３６】
なお、上述の実施形態では、マイナスイオンを噴射したのちに、プラスイオンを噴射しているが、二つのプローブを同時に肌に近接させて、マイナスイオンとプラスイオンの噴射を同時に行ってもよい。
これによっても、同時に噴射されたマイナスイン及びプラスイオンが中和される前に肌に噴射されて届くことから、同様な効果を得ることができる。また、施術工程を短縮することができる。
【００３７】
また、上述の実施形態では、プローブを２つ分けた例について説明したが、プローブをひとつにまとめて、マイナスイオンと、プラスイオンを噴射するようにしてもよい。
プローブを1つとした例を図５、図６に示す。図に示した結合プローブ４０は、ノズル４１と、切り替えボタン４２と、発光素子としての発光ダイオード４３が取り付けられている。
結合プローブ４０は、横に広がった噴射口４０ａを有しており、プローブ１から噴射されたエアーを横方向に広がった面状態に噴射することができる。また、噴射口４０ａには、空間が形成されており、ここに脱脂綿などを取り付けることができるようになっている。
ノズル４１は、上述の実施形態の噴射ノズル１１と噴射ノズル３１とをまとめたものであって、オゾン風、プラスイオン風、マイナスイオン風をそれぞれ送風することができる。なお、このノズルは1本である必要はなく、オゾン、プラスイオン用のノズルと、マイナスイオン用のノズルとを分けて、これら２本のノズルを結合プローブ４０に接続してもよい。
切り替えボタン４２は、オゾン風、プラスイオン風、マイナスイオン風とを切り替えるためのボタンである。主電源がオンとなり、初期状態からこのボタン４２が1回押されるとオゾン風が噴射され、さらにもう一度押されるとプラスイオン風とマイナスイオン風が同時に噴射されるようになっている。
なお、２度目に押されたときにはマイナスイオン風だけが噴射され、３回目に押されたときにプラスイオン風が噴射されるようにしてもよい。
発光ダイオード４３は、プラスイオン風などを噴射する噴射面の肌に対して光を照射するための素子であり、本例では、赤色の発光ダイオードが用いられている。なお、発光ダイオードに代えて出力を調整された半導体レーザを光源としてもよい。
【００３８】
図５及び図６の結合プローブ４０を使う場合、最初にメイン電源をオンとすると、発光ダイオード４３に通電されて、噴射口４０ａから肌に向けて発光する。
この状態でボタン４２を押すと、結合プローブ４０からオゾン風が噴射される。この噴射された状態で結合プローブの噴射口４０ａを肌に当ててオゾンを噴射させる。
所定時間経過後、切り替えボタン４２が押されると、オゾン風が停止して、今度はプラスイオン風とマイナスイオン風とが同時に肌に対して噴射される。また、この際同時に、発光ダイオード４３も発光して肌に照射される。なお、マイナスイオンとプラスイオンを同時に照射する場合には、予めマイナスイオン電荷量よりもプラスイオン電荷量が多く発生するように設定をしておく。
そして、所定時間経過後、切り替えボタン４２をさらに押すことで、マイナスイオン風及びプラスイオン風の噴射がストップする。
なお、上述の施術をする際に、噴射口４０ａの空間に脱毛溶液を含浸させた脱脂綿を取り付けても良い。この場合には発光ダイオード４３の光を遮らないように脱脂綿を配置すればよい。
【００３９】
このように、１つのプローブとすることで、マイナスイオンとプラスイオンとを同時に噴射する場合には、同時に噴射する分だけ短時間で、より簡単にプラスイオン風とマイナスイン風とを噴射することができる。
【００４０】
また、プラスイオンの噴射と同時に、肌に対して発光ダイオードなどの光源を設け、光を照射しながらプラスイオン風を噴射することで、この光のエネルギーを毛包細胞に対して供給することができ、微弱なエネルギーではあるが、毛包細胞にエネルギーを与えることで、毛包細胞の破壊及び不活性化を促進することができる。
なお、上述の図１の実施形態においても、既存の光源を第１プローブ１又は／及び第２プローブ３の先端に取り付け、この光を照射することができる。
【図面の簡単な説明】
【００４１】
【図１】本実施形態にかかる脱毛装置の正面図。
【図２】本実施形態にかかる脱毛装置の内部構造を説明する平面模式図。
【図３】本実施形態にかかるマイナスイオン発生装置の原理を表した図。
【図４】本実施形態にかかるプラスイオン発生装置の原理を示した図。
【図５】別の実施形態にかかる結合プローブの斜視図。
【図６】別の実施形態の結合プローブの側部断面図。
【符号の説明】
【００４２】
脱毛装置本体・・・１０、電源スイッチ・・・Ｓ、第１プローブ・・・１、噴射ノズル・・・１１、マイナスイオン噴射スタートボタン・・・１２、マイナスイオン噴射時間設定タイマー・・・１３、マイナスイオン噴射時間設定タイマー作動表示ランプ・・・１４、マイナスイオン噴射エアー調整ツマミ・・・１５、ＤＣファン・・・１６、高圧電源・・・１７、切替スイッチ・・・１９、エアー吸引口・・・２０、第２プローブ・・・３、噴射ノズル・・・３１、噴射スタートボタン・・・３２、噴射時間設定タイマー・・・３３、噴射時間設定タイマー作動表示ランプ・・・３４、噴射エアー調整ツマミ・・・３５、調整ツマミ・・・３６、オゾン発生装置・・・１００、プラスイオン発生装置・・・２００、マイナスイオン発生装置・・・３００
【図１】
2007037968.tif 000003
【図２】
2007037968.tif 000004
【図３】
2007037968.tif 000005
【図４】
2007037968.tif 000006
【図５】
2007037968.tif 000007
【図６】
2007037968.tif 000008
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
剃毛された肌に感光剤を含む脱毛溶液を塗布し、この脱毛溶液が塗布された肌に対して、オゾンを照射した後に、プラスイオン風を照射することで発毛を抑制する脱毛方法に使用される装置であって、
オゾンを発生させるオゾン発生回路と、
プラスイオンを発生させるプラスイオン発生回路と、
上記プラスイオン発生回路に対して、吸引したエアーを送ることでプラスイオン風を発生させる送風装置と、
上記脱毛溶液が塗布された肌に対して、上記オゾン発生回路で発生させたオゾンを照射した後に、上記プラスイオン発生回路により発生したプラスイオン風を照射するための第１のプローブと、
上記第１のプローブから噴射するエアーを、上記オゾン発生回路で発生したオゾンと、上記プラスイオン発生回路からのプラスイオン風とを切り替えるための切替スイッチと、
上記第１のプローブの先端に取り付けられ、上記プラスイオン風を照射する際に、感光剤を含む脱毛溶液が塗布された肌に対して光を照射する発光素子と、
を有することを特徴とする脱毛装置。
【請求項２】
上記第１のプローブによりプラスイオン風を照射する前又はプラスイオン風を照射すると同時に、上記脱毛溶液が塗布された肌に対してマイナスイオン風を照射する脱毛方法に使用される装置であって、
マイナスイオンを発生させるマイナスイン発生回路をさらに有し、
上記送風装置は、マイナスイオン発生回路に対して、エアーを送ることでマイナスイオン風を発生させ
発生されたマイナスイオン風を上記脱毛溶液が塗布された肌に対して照射する第２のプローブをさらに有する、
請求項１記載の脱毛装置。
【請求項３】
上記第１のプローブと、上記第２のプローブとを結合させて、上記第１のプローブ及び第２のプローブからのエアーを混合して上記肌に照射する結合プローブをさらに有する、
請求項２記載の脱毛装置。
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
剃毛された肌に感光剤を含む脱毛溶液を塗布し、この脱毛溶液が塗布された肌に対して、オゾンを照射した後に、プラスイオン風及びマイナスイオン風を同時に照射することで発毛を抑制する脱毛方法に使用される装置であって、  オゾンを発生させるオゾン発生回路と、 マイナスイオンを発生させるマイナスイオン発生回路と、  プラスイオンを発生させるプラスイオン発生回路と、  上記プラスイオン発生回路及びマイナスイオン発生回路に対して、吸引したエアーを送ることでプラスイオン風及びマイナスイオン風を発生させる送風装置と、  上記脱毛溶液が塗布された肌に対して、上記オゾン発生回路で発生させたオゾンを照射した後に、上記プラスイオン発生回路により発生したプラスイオン風を上記脱毛溶液が塗布された肌に対して照射するための第１のプローブと、 上記マイナスイオン発生回路からのマイナスイオン風を上記脱毛溶液が塗布された肌に対して照射する第２のプローブと、 上記第１のプローブと、上記第２のプローブとを結合させて、上記第１のプローブ及び第２のプローブからのエアーを同時に上記肌に照射するための結合プローブと、  上記第１のプローブから噴射するエアーを、上記オゾン発生回路で発生したオゾンを噴射する段階と、上記第１のプローブからのプラスイオン風を噴射するとともに、上記第２のプローブからマイナスイオン風を同時に噴射する段階に切り替えるための切替スイッチと、  上記第１のプローブの先端に取り付けられ、上記プラスイオン風を照射する際に、感光剤を含む脱毛溶液が塗布された肌に対して光を照射する発光素子と、  を有することを特徴とする脱毛装置。